(57)【特許請求の範囲】
【請求項１】
頂板部と頂板部周縁から垂下している筒状側壁とを有し且つ筒状側壁が容器口部に嵌合固定されるキャップ本体と、該キャップ本体の筒状側壁上端部にヒンジ連結された上蓋とから成り、前記頂板部には注出筒と注出筒よりも内側に開口予定部又は開口が形成され、前記キャップ本体の筒状側壁の厚み部分は、少なくともヒンジ連結部側において、その上端から下方に向かって延びているスリットが筒状側壁の下端近傍にまで深く形成されており、このスリットにより、筒状側壁は内側壁と外側壁に分割されていると共に、内側壁の内面側には容器口部と係合する係止用突起が設けられているヒンジ付きキャップにおいて、前記外側壁のヒンジ連結部の両端部には、上端から下端又は下端近傍に延びる第一の軸方向スコアが形成され、且つ内側壁の第一の軸方向スコアに対面する位置に下端又は下端近傍から少なくとも係止用突起に至る第二の軸方向スコアが形成され、また第一の軸方向スコア及び第二の軸方向スコアの下端部からヒンジ連結部とは反対の方向に延びる一対の第三の周方向スコア又はスリットが形成され、
前記内側壁には、第三の周方向スコア又はスリットのヒンジ連結部の反対側端部から少なくとも係止用突起に至る一対の第四の軸方向スコアが形成されている、
ことを特徴とするヒンジ付きキャップ。
【請求項２】
前記第四の軸方向スコアの上端からヒンジ連結部を除いた部分の全領域或いはその一部に第五の周方向スコアが形成されている請求項１記載のヒンジ付きキャップ。
【請求項３】
前記一対の第三の周方向スコア又はスリットが、第一の軸方向スコアから、ヒンジ連結部の中央部を基準に少なくとも両側に９０゜の位置まで設けられている請求項１又は請求項２に記載のヒンジ付きキャップ。
【発明の詳細な説明】
【０００１】
【発明の属する技術分野】
本発明は、容器口部に嵌合固定されるキャップ本体を備えたヒンジ付きキャップに関し、より詳細には、手による引き裂きによって容易に容器口部からキャップ本体を取り除くことが可能な分別廃棄性に優れたヒンジ付きキャップに関する。
【０００２】
【従来の技術】
容器口部に嵌合される注出用開口を有するキャップ本体と、キャップ本体の注出用開口を覆うようにキャップ本体に嵌合される上蓋からなるキャップは、開封操作が容易で密封性に優れていることから、食品等の分野において広く使用されており、このようなキャップにおいても、分別廃棄の要請は高く、キャップを容器から容易に取り外すことが要求されている。
【０００３】
このような容器口部に嵌合固定されるキャップについて、分別廃棄性を向上させるため、多くの提案がなされている。
例えば実開平７−１１５５９号公報や実開平５−３４１５１号公報には、上述したヒンジキャップについてキャップ本体の筒状側壁に、上蓋とのヒンジ連結部の近傍から下方に延びているスコアを形成させて成るヒンジキャップが開示されている。これらのヒンジキャップは上蓋を手でもって下方に押し下げることにより筒状側壁のスコアを引き裂き、これによって筒状側壁が破壊されるというものである。
【０００４】
しかしながら、これらの先行技術に開示されているキャップでは、筒状側壁のスコアの引き裂きが容易でないという問題がある。すなわち、筒状側壁は、容器口部に嵌合固定されるため比較的厚肉に形成されており、しかも容器口部にしっかりと固定するために、容器口部外面と係合する突起が形成されているため、この部分に形成されているスコアを引き裂くためには大きな力を要する。その一方、引き裂きを容易にするためにスコアを深く形成すると、打栓時に筒状側壁が破断するおそれがある。
【０００５】
このような問題を解決するために、本発明者等により筒状側壁を内側壁と外側壁に分割し、外側壁のヒンジ連結の両端に沿って第一のスコアが形成され、この第一のスコアに対面するように、内側壁に第二のスコアが少なくとも係合突起に刻設されていることを特徴とするヒンジキャップも提案されている（特願平１０−３２１１１４号）。
【０００６】
【発明が解決しようとする課題】
上記ヒンジキャップでは、打栓時にスコアの破断が有効に防止されると共に、外側壁に設けられたスコアを引き裂くと、内側壁は外側壁のタガ締め力から開放され、ヒンジ連結部以外の部分でのキャップ本体の容器口部からの引き抜きが容易に行うことが可能であるが、更に容易にキャップを容器口部から取り除くことが望まれている。
従って本発明の目的は、内容物使用後には、容器口部に強固に嵌合されたヒンジ付きキャップを極めて容易に容器口部から取り外すことができ、しかも打栓時における筒状側壁の破断も有効に防止されたヒンジ付きキャップを提供するにある。
【０００７】
【課題を解決するための手段】
本発明によれば、頂板部と頂板部周縁から垂下している筒状側壁とを有し且つ筒状側壁が容器口部に嵌合固定されるキャップ本体と、該キャップ本体の筒状側壁上端部にヒンジ連結された上蓋とから成り、前記頂板部には注出筒と注出筒よりも内側に開口予定部又は開口が形成され、前記キャップ本体の筒状側壁の厚み部分は、少なくともヒンジ連結部側において、その上端から下方に向かって延びているスリットが筒状側壁の下端近傍にまで深く形成されており、このスリットにより、筒状側壁は内側壁と外側壁に分割されていると共に、内側壁の内面側には容器口部と係合する係止用突起が設けられているヒンジ付きキャップにおいて、前記外側壁のヒンジ連結部の両端部には、上端から下端又は下端近傍に延びる第一の軸方向スコアが形成され、且つ内側壁の第一の軸方向スコアに対面する位置に下端又は下端近傍から少なくとも係止用突起に至る第二の軸方向スコアが形成され、また第一の軸方向スコア及び第二の軸方向スコアの下端部からヒンジ連結部とは反対の方向に延びる一対の第三の周方向スコア又はスリットが形成され、前記内側壁には、第三の周方向スコア又はスリットのヒンジ連結部の反対側端部から少なくとも係止用突起に至る一対の第四の軸方向スコアが形成されている、ことを特徴とするヒンジ付きキャップが提供される。
【０００８】
本発明のヒンジ付きキャップにおいては、
１．第四の軸方向スコアの上端からヒンジ連結部を除いた部分の全領域或いはその一部に第五の周方向スコアが形成されていること、
２．第三の周方向スコア又はスリットが、第一の軸方向スコアから、ヒンジ連結部の中央部を基準に少なくとも両側に９０゜の位置まで設けられていること、が好ましい。
【０００９】
【発明の実施形態】
本発明のヒンジ付きキャップでは、筒状側壁が外側壁及び内側壁の二重の側壁から成り、外側壁が内側壁をタガ締めするように作用するので、外側壁のヒンジ連結部両端に第一の軸方向スコア及びこの第一のスコアに対応する内側壁の位置に第二の軸方向スコアを設けていても、打栓の際に第一のスコア及び第二のスコアが破断されるのを有効に防止することができる。
【００１０】
また本発明のキャップにおいては、容器口部に嵌合固定されるキャップの筒状側壁について、従来技術のように外側壁及び内側壁を軸方向に破壊するだけでなく、第一のスコア及び第二のスコアの下端部からヒンジ連結部とは反対の方向に延びる一対の第三の周方向スコア又はスリットが設けられているため、キャップ本体に固定されている内側壁から外側壁を分割することができ、これにより外側壁が容易に外方に拡がって、内側壁へのタガ締めを解除できるのである。
すなわち、キャップを容器口部から取り外すときは、上蓋をヒンジ連結部を中心に下方に引っ張って、第一のスコアを引き裂くことにより外側壁を破壊し、次いで上蓋を上方に引き上げることによって第二のスコアを引き裂いて内側壁を破壊する。外側壁及び内側壁の下端には第三の周方向スコア又はスリットが設けられているので、外側壁は破断された第一のスコアの部分から容易に外方に拡がり、この部分を更に上方に持ち上げることにより、キャップ全体を容器口部から容易に取り外すことが可能となるのである。
【００１１】
本発明においては、上記第一乃至第三のスコア又はスリットに加えて、前述した軸方向の第四のスコア及び周方向の第五のスコアを設けることが特に好ましい。これにより内側壁も、第三のスコア又はスリットから連続して、軸方向の第四のスコア及び周方向の第五のスコアへと容易に破壊できるため、キャップの容器口部からの取り外しをきわめて容易に行うことが可能となったのである。
すなわち、第三のスコア又はスリットにより外側壁が外方に拡げられることによって、第四のスコアを通じて第五のスコアの破断が行われ、これにより内側壁を容器口部に固定している係止用突起より上方で内側壁を破壊することが可能となって、キャップをきわめて容易に容器口部から取り外すことが可能となるのである。
【００１２】
本発明においては、後述する図２に示すように、上記第三の周方向スコア又はスリットが、第一のスコアが設けられているＣ，Ｄの位置から、ヒンジ連結部の中央部であるＥを基準に少なくとも両側に９０゜の範囲、すなわちＣ〜Ｂ間、Ｄ〜Ｆ間の範囲で第三のスコア又はスリットが設けられていることが特に好ましい。これにより、外側壁を外方に拡げやすく、第五の周方向スコアの破断がより容易になるという利点がある。
また、第五の周方向スコアは、後述する図２に示すように、ヒンジ連結部Ｃ〜Ｄ間を除く、Ｃ〜Ｂ〜Ａ〜Ｆ〜Ｄの範囲で設けられていても勿論よいが、一対の第四のスコアの上端の間で内側壁に形成されていること、すなわち図２のＢ〜Ａ〜Ｆの範囲でのみ第五の周方向スコアが設けられていてもよい。
【００１３】
【実施例】
本発明のヒンジ付きキャップを添付図面に基づいて詳細に説明する。
図１は、本発明のヒンジ付きキャップの一例を、上蓋を開いた状態における平面図であり、図２は、図１の底面図であり、図３は、図１のＸ−Ｘ線における側断面図であり、図４は、図２における筒状側壁の各部位における部分断面図であり、（ａ）はＢ〜Ａ〜Ｆの間の部分、（ｂ）はＢ又はＦの部分、（ｃ）はＢ〜Ｃ又はＦ〜Ｄの間の部分、（ｄ）はＣ又はＤの部分、（ｅ）はＣ〜Ｅ〜Ｄの間の部分をそれぞれ表す。
全体を１で表す本発明のヒンジ付きキャップは、概略的にいって、キャップ本体２及びキャップ本体２にヒンジ３で連結された上蓋４から成っている。
キャップ本体２は、頂板部５及び頂板部５から垂下する内側壁６及び内側壁６と少なくともヒンジ連結部３の下端で連結され且つ内側壁を外側から覆うように外側壁７が一体に形成されている。また、内側壁６の内面には、周状の係止用突起８が形成されており、また頂板部５の内面の周縁部には、内側壁６とは間隔をおいて下方に延びているインナーリング９が形成されている。すなわちこのインナーリング９と内側壁６との間の空間に容器口部（図示せず）が嵌め込まれ、且つ係止用突起８によってキャップ本体１は容器口部にしっかりと固定されるのである。
【００１４】
キャップ本体２の頂板部５には、スコア１０が形成されていると共に、頂板部５の上面側には、スコア破断用のタブ１１が設けられ、このタブ１１を引っ張ることによりスコア１０が破断され、内容液注出用の開口が形成される。
また頂板部５の上面側には、スコア１０を取り囲むように内容液注出用の注出筒１２が形成されており、注出用開口を介して注ぎ出された内容液はこの注出筒１２に沿って案内される。
【００１５】
上蓋４は、天面２１及び天面２１の周縁から垂下する側壁２２から成り、この天面２１の内面から下方に延びているシール用の周状突起２３が形成されており、上蓋４を閉じた状態で、この周状突起２３の外面がキャップ本体に設けられた注出筒１２の内面に密着し、注出用開口形成後のシール性が確保されている。
頂板部５の上面側周縁部には、比較的背の低い上蓋係止用の環状突起１３が形成され、また上蓋４の側壁２２の内面下部に凹部２４が形成されている。すなわち、上蓋が閉じられた状態で、キャップ本体の環状突起１３と上蓋の凹部２４とが互いに係合し、これにより閉栓状態が保持される。
【００１６】
上蓋４のヒンジ連結部３と反対側の位置には、凸部２５を有する開封用タブ２６が設けられていると共に、この開封用タブ２６の位置に対応して、キャップ本体２の外側壁７の外面には、凹部１４が形成されている。凹部１４及び凸部２５は、上蓋４を開栓する際に、開封用タブ２６に指を掛け易くするものであり、これにより上蓋を容易に開栓できるようになっている。
上蓋４と外側壁７の上端とのヒンジ連結３は、一般に幅の広い主連結部３ａと、その両側に位置しているバンド３ｂ，３ｂとから形成されている。このバンド３ｂは、上蓋４を開いた状態で主連結部３より若干下方に設けられており、上蓋４と外側壁７とをヒンジ連結している。
【００１７】
本発明のヒンジ付きキャップにおいては、外側壁７のヒンジ連結部３の両端部に、上端から下端に延びる第一の軸方向スコア３０ａ及び３０ｂが形成され、内側壁６の第一のスコア３０ａ，３０ｂに対面する位置に第一のスコア３０ａ，３０ｂと連続するように第二の軸方向スコア３１ａ，３１ｂが形成されている。この第二のスコア３１ａ，３１ｂは、内側壁６及び外側壁７の下端部１５から内側壁６の係止用突起８を超えた上部で終結しており、上蓋４を下方に引っ張って、第一のスコア３０ａ，３０ｂを破断し、次いで上蓋４を上方に引き上げることによって、第二のスコア３１ａ，３１ｂが破断される。また第一のスコア３０ａ，３０ｂ及び第二のスコア３１ａ，３１ｂの連続点３２はスリットになっており、この連続点３２から内側壁６及び外側壁７の下端部１５のＣ〜Ｂ間及びＤ〜Ｆ間には、ヒンジ連結部３と反対の方向に延びる一対の第三の周方向スコア又はスリット３３ａ，３３ｂが形成され、第一のスコア３０ａ，３０ｂ及び第二のスコア３１ａ，３１ｂが破断されることによって、外側壁７が容易に外方に拡がるようになっている。
【００１８】
内側壁６には、第三のスコア又はスリット３３ａ，３３ｂのヒンジ連結部の反対側の端部Ｂ及びＦの位置から係止用突起８より上方の位置まで垂直に延びる第四の軸方向スコア３４ａ，３４ｂが形成されている。また内側壁６のヒンジ連結部３を除いた部分には、第四のスコア３４ａ，３４ｂのほぼ上端位置に第五の周方向スコア３５が設けられている。この第四のスコア３４及び第五のスコア３５により、図２に示すＢ〜Ａ〜Ｆの間の少なくともヒンジ連結部側の領域で第五のスコアが破断され、またＢ〜Ｃ間及びＤ〜Ｆ間では第三のスコア又はスリット及び第五のスコアにより外側壁が拡がりやすくなるため、キャップ本体を容易に容器口部から取り外すことが可能となるのである。
【００１９】
本発明においては、第三のスコア又はスリットは、スコア又はスリットの何れでもよいが、スリットであれば、第一及び第二のスコアを破断することによって外側壁が容易に外方に拡がり、第四及び第五のスコアの破断に容易に移行できるのでより好ましい。また第三のスコア又はスリットは、第一のスコアの位置Ｃ，Ｄ（図２参照）から、ヒンジ連結部の中央部Ｅを基準に少なくとも両側に９０゜の位置まで設けられていることが好ましく、これにより外側壁を広い範囲で外方向に拡げることができ、次いで行われる第四のスコア及び第五のスコアの破断も容易になって、キャップ本体を容器口部から容易に取り除くことが可能になるのである。
【００２０】
前述した実施例に示したように、第五のスコアは、ヒンジ連結部を除いた内側壁のほぼ全周にわたって内側壁に形成されていることが開栓しやすさの点から好ましいが、図２に示すＢ〜Ａ〜Ｆ間のヒンジ連結部側にのみ設けられていてもよいし、或いはＢ〜Ａ〜Ｆ間のヒンジ連結部側からヒンジ連結部の両端部まで設けられていてもよい。
第一のスコア及び第二のスコアは、それぞれ外側壁及び内側壁の内面側に設けられていることが、スコアの破断のしやすさから好ましい。
【００２１】
上述した実施例では、環状のスリットにより筒状側壁が内側壁と外側壁に分割された構成のキャップについて説明してきたが、本発明は勿論この態様に限定されることはなく、筒状側壁が、ヒンジ連結部とヒンジ連結部の反対側の部分（図２のＡを中心として１７０゜程度）を残して、円弧状のスリットにより分割されている態様のキャップに採用することも可能である。
また上述した実施例では、スコア１０の破断により内容液注出用開口が形成される態様のキャップについて説明を行ったが、本発明は勿論この態様に限定されるものではなく、例えば、注出用開口を覆ったバリヤー性フィルムを頂板部５に貼着したものであってもよい。
【００２２】
更に、上述した本発明のヒンジ付きキャップでは、打栓に際して、薄肉の内側壁が外側に拡がるが、外側壁で外側からタガ締めされるように保護されているため、この内側壁が打栓に際して破断するおそれはない。また打栓が行われ、キャップ本体が容器口部に固定された状態においても、内側壁は多少外側に拡がるが、外側壁が同様に内側壁に密着してタガ締めしているため、キャップ本体と容器口部との嵌合力が低下することもないのである。
【００２３】
本発明においては、上述したキャップの成形に用いる樹脂としては各種プラスチック、例えば、低−、中−又は高−密度のポリエチレン、線状低密度ポリエチレン、ポリプロピレン、熱可塑性ポリエステル、ポリアミド、スチレン系樹脂、ＡＢＳ樹脂等が一般に使用される。またキャップ本体とは別個にライナーを施すこともでき、このようなライナーとしては、低密度ポリエチレン、エチレン系重合体、各種ゴム乃至熱可塑性エラストマー、アクリル樹脂プラスチゾル、塩化ビニルプラスチゾル等を用いることができる。
【００２４】
本発明のヒンジ付きキャップは、上記の樹脂を使用し、射出成形、圧縮成形等の一体成形により、図１乃至３に示されているような上蓋が開栓された形状に成形する。またスコア又はスリットは後加工により形成することもできるが、キャップを成形する際に同時に形成することが好ましい。
【００２５】
【発明の効果】
本発明によれば、頂板部と頂板部周縁から垂下している筒状側壁とを有し且つ筒状側壁が容器口部に嵌合固定されるキャップ本体と、該キャップ本体の筒状側壁上端部にヒンジ連結された上蓋とから成り、前記頂板部には注出筒と注出筒よりも内側に開口予定部又は開口が形成され、前記キャップ本体の筒状側壁の厚み部分は、少なくともヒンジ連結部側において、その上端から下方に向かって延びているスリットが筒状側壁の下端近傍にまで深く形成されており、このスリットにより、筒状側壁は内側壁と外側壁に分割されていると共に、内側壁の内面側には容器口部と係合する係止用突起が設けられているヒンジ付きキャップにおいて、前記外側壁のヒンジ連結部の両端部には、上端から下端又は下端近傍に延びる第一の軸方向スコアが形成され、且つ内側壁の第一の軸方向スコアに対面する位置に下端又は下端近傍から少なくとも係止用突起に至る第二の軸方向スコアが形成され、また第一の軸方向スコア及び第二の軸方向スコアの下端部からヒンジ連結部とは反対の方向に延びる一対の第三の周方向スコア又はスリットが形成され、前記内側壁には、第三の周方向スコア又はスリットのヒンジ連結部の反対側端部から少なくとも係止用突起に至る一対の第四の軸方向スコアが形成されているので、格別の工具を用いることなく、手による引き裂きによって容易に容器口部からキャップ本体を取り除くことが可能となり、分別廃棄性が極めて優れたヒンジ付きキャップを提供することができた。
【図面の簡単な説明】
【図１】本発明のヒンジ付きキャップの一例について、上蓋を開いた状態における平面図である。
【図２】図１の底面図である。
【図３】図１のＸ−Ｘ線における側断面図である。
【図４】図２における筒状側壁の各部位における部分断面図である。
【符号の説明】
１  本発明のヒンジ付きキャップ    ２  キャップ本体    ３  ヒンジ連結部
４  上蓋    ６  内側壁    ７  外側壁    ３０  第一の軸方向スコア
３１  第二の軸方向スコア    ３３  第三の周方向スコア
３４  第四の軸方向スコア    ３５  第五の周方向スコア
【図１】
0004580064.tif 000002
【図２】
0004580064.tif 000003
【図３】
0004580064.tif 000004
【図４】
0004580064.tif 000005